(57)【要約】【課題】店員の現在配置に関わらず、また、店内の喧騒にも邪魔されずに、店員を呼び出すための呼出釦の押下を、店員に確実に伝達させることができる店員呼出システムを提供すること。【解決手段】呼出信号処理時、受信機３の番号記憶部復号選択回路３４は、受信された呼出信号から、テーブル番号に対応する所定の呼出メッセージを選択し、音声回路３５で音声データに変換してヘッドホン３６から音声メッセージとして出力する。また、消去信号処理時は、受信された呼出信号に含まれるテーブル番号をスタック領域から消去する（登録消去）。さらに、音声メッセージ再出力処理時は、登録されたテーブル番号に対応する所定の呼出メッセージを選択し、音声回路３５で音声データに変換してヘッドホン３６から音声メッセージとして再出力する。【選択図】図４
2009054004.tif 000002
【特許請求の範囲】
【請求項１】
来客者が接客店員を呼び出す際に操作される、送信機能を備えた複数の呼出機からの呼出信号を受信して、当該呼出機に対応するテーブル番号を音声出力する店員呼出システムにおいて、
前記テーブル番号を含む呼出信号を無線で送信する前記複数の呼出機と、
前記呼出信号を受信する呼出信号受信手段と、
前記呼出信号に含まれるテーブル番号を取得するテーブル番号取得手段と、
前記取得されたテーブル番号を登録するテーブル番号登録手段と、
前記テーブル番号に対応する音声メッセージを検索して音声出力する音声メッセージ出力手段と、
前記音声出力の後、前記登録されたテーブル番号に対応する音声メッセージを所定の周期で音声出力するテーブル番号反復伝達手段と、
選択されたテーブル番号を含むテーブル番号の消去信号を無線で送信する消去番号送信手段と、
前記消去信号を受信する消去信号受信手段と、
前記消去信号に含まれるテーブル番号を取得する消去番号取得手段と、
前記テーブル番号の登録を消去する登録消去手段と、
を備えたことを特徴とする店員呼出システム。
【請求項２】
前記の、呼出信号受信手段、テーブル番号取得手段、テーブル番号登録手段、音声メッセージ出力手段、テーブル番号反復伝達手段、消去信号受信手段、消去番号取得手段、及び登録消去手段を、１つ以上の携帯型の受信装置の各々に備えることを特徴とする請求項１記載の店員呼出システム。
【請求項３】
前記テーブル番号に対応する音声メッセージは、当該テーブル番号が優先される呼び出し元を示すものである場合に、当該呼び出し元の名称を含めたものであることを特徴とする請求項１または請求項２記載の店員呼出システム。
【請求項４】
前記優先される呼び出し元の名称は厨房であることを特徴とする請求項３記載の店員呼出システム。
【請求項５】
前記音声メッセージは、骨伝導型のヘッドホン装置により出力されるものであることを特徴とする請求項１乃至４のいずれか１項に記載の店員呼出システム。
【請求項６】
来客者が接客店員を呼び出す際に操作される、送信機能を備えた複数の呼出機からの呼出信号を受信して、当該呼出機に対応するテーブル番号を音声出力する店員呼出システムにおいて、
前記テーブル番号を含む呼出信号を無線で送信する前記複数の呼出機と、
前記呼出信号を受信する呼出信号受信手段と、
前記呼出信号に含まれるテーブル番号を取得するテーブル番号取得手段と、
前記取得されたテーブル番号を登録するテーブル番号登録手段と、
前記テーブル番号に対応する音声メッセージを検索して無線放送する音声メッセージ放送手段と、
前記無線放送の後、前記登録されたテーブル番号に対応する音声メッセージを所定の周期で無線放送するテーブル番号反復放送手段と、
前記無線放送の各々を受信して音声出力する放送受信手段と、
選択されたテーブル番号を含むテーブル番号の消去信号を無線で送信する消去番号送信手段と、
前記消去信号を受信する消去信号受信手段と、
前記消去信号に含まれるテーブル番号を取得する消去番号取得手段と、
前記テーブル番号の登録を消去する登録消去手段と、
を備えたことを特徴とする店員呼出システム。
【請求項７】
前記の、呼出信号受信手段、テーブル番号取得手段、テーブル番号登録手段、音声メッセージ放送手段、テーブル番号反復放送手段、消去信号受信手段、消去番号取得手段、及び登録消去手段を、少なくとも１つの据置型の采配装置に備えると共に、前記放送受信手段を１つ以上の携帯型の放送受信機に備えることを特徴とする請求項６記載の店員呼出システム。
【請求項８】
前記テーブル番号に対応する音声メッセージは、当該テーブル番号が優先される呼び出し元を示すものである場合に、当該呼び出し元の名称を含めることを特徴とする請求項６または請求項７記載の店員呼出システム。
【請求項９】
前記優先される呼び出し元の名称は厨房であることを特徴とする請求項８記載の店員呼出システム。
【請求項１０】
前記音声メッセージは、骨伝導型のヘッドホン装置により出力されるものであることを特徴とする請求項６乃至９のいずれか１項に記載の店員呼出システム。
【発明の詳細な説明】
【技術分野】
【０００１】
本発明は、店舗等において来客者が店員を呼び出す際に使用される店員呼出システムに関する。
【背景技術】
【０００２】
従来、店舗、特に大型なファミリーレストラン等においては、テーブル上に、店員を呼び出すための呼出釦（送信機能付き）が設置されており、来客者が座席に着き、例えば、メニューを決定して注文をする場合などには、この呼出釦を押すことにより店員を呼び出すことができるようにしている。
このようなシステムは、即ち店員呼出システムとして周知である。
【０００３】
この呼出釦が押下されると、この呼出釦に付属の送信機からは、呼出信号が発信され、この信号が、目立たない場所に別途に設置されたテーブル番号表示機で受信されて、この呼出釦に対応するテーブル番号が表示される。
そこで、店員が、このテーブル番号の表示を確認した後、このテーブル番号で示されるテーブルの方向に向かって歩いて行き、そこで、このテーブルの来客と応接することになっている。
【０００４】
例えば、このような店員呼出システムとして、テーブル毎に呼出釦が設置され、各テーブル番号と呼出釦の番号とが一致しており、客席から見えない位置や店員が作業又は待機している位置から視認可能で且つ人の往来を妨げないような位置にテーブル番号表示器を設置し、どのテーブルの来客が店員を呼び出しているのかを容易に視認できるように構成したものも知られている（例えば、特許文献１参照）。
【０００５】
なお、従来の店員呼出システムには、呼出釦に呼び鈴を仕込んでおいて、店員が、この呼び鈴の音を聞き付けるといった方式の店員呼出システムも存在し、現在、最も普及している。
【特許文献１】特公平１−２０４８０号公報
【発明の開示】
【発明が解決しようとする課題】
【０００６】
しかしながら、前述の特許文献１での開示内容も含めて、従来の店員呼出システムでは、全ての店員は、常にテーブル番号表示器を意識して受付業務を行う必要があり、いわばテーブル番号表示器に縛りつけられたような態勢となってしまって、店員配置の機動性に欠けるという問題点があった。
【０００７】
極端な場合、店員の一人が、呼出釦を押した来客の近辺に居る場合であっても、この店員が、来客の呼出釦の押下に気付かなかった場合は、現在位置から遙に離れたテーブル番号表示器の表示を確認するまでは、この来客と応対できないといった場面も生じていた。
【０００８】
また、レストラン等において、来客へのサービス向上を考慮すると、例えば、厨房で出来上った料理はなるべく早く注文先へと届ける必要があるが、従来の店員呼出システムでは、この際、例えば、いずれの店員が応対するテーブルでも、来客者が注文品を決めかねていて、接客店員全員が、この来客の応対に時間を取られていて直ちに厨房に向かうことができず、よって、出来上った料理を素早く注文先へと届けることができないといった場面も生じていた。
【０００９】
即ち、従来の店員呼出システムにあっては、単に来客側からの呼び出しがあったことを店員に認識させるのみであり、厨房からの店員の呼び出しについては考慮されていなかったので、この点を解決することも本発明の課題であった。
【００１０】
さらに、呼出釦に呼び鈴を仕込んでおいて、この呼び鈴の音を聞き付けるといった従来の普及型の店員呼出システムの場合、一般に、レストラン等の店内は、多数の来客の会話やバックミュージックによって騒がしく、また、この呼び鈴自体が、他の来客にとっては不快な騒音となるので、このような店員呼出システムを大規模化することにも、やはり限界があった。
【００１１】
なお、来客からの呼び出しを無線送信機で送信し、各店員が携帯する受信機に伝達する従来の店員呼出システムの場合、呼び出しが有ったテーブルのテーブル番号を一過性で放送するだけであって、本発明のように、店員による応接が未完了のテーブルについて、そのテーブル番号を繰り返し伝達する機能は有していない。
また、本発明のように、別途に設置された番号消去機によって、各店員が、自分が応対した来客のテーブル番号を消去する機能は有していない。
【００１２】
本発明は、上記問題を解決するため、店員の現在配置に関わらず、また、店内の喧騒にも邪魔されずに、店員を呼び出すための呼出釦の押下を、店員に確実に伝達させることができる店員呼出システムを提供することを目的とする。
また、厨房等からの優先呼出を可能にする店員呼出システムを提供することを目的とする。
【課題を解決するための手段】
【００１３】
その目的を達成するため、請求項１に記載の店員呼出システムは、来客者が接客店員を呼び出す際に操作される、送信機能を備えた複数の呼出機からの呼出信号を受信して、当該呼出機に対応するテーブル番号を音声出力する店員呼出システムにおいて、前記テーブル番号を含む呼出信号を無線で送信する前記複数の呼出機と、前記呼出信号を受信する呼出信号受信手段と、前記呼出信号に含まれるテーブル番号を取得するテーブル番号取得手段と、前記取得されたテーブル番号を登録するテーブル番号登録手段と、前記テーブル番号に対応する音声メッセージを検索して音声出力する音声メッセージ出力手段と、前記音声出力の後、前記登録されたテーブル番号に対応する音声メッセージを所定の周期で音声出力するテーブル番号反復伝達手段と、選択されたテーブル番号を含むテーブル番号の消去信号を無線で送信する消去番号送信手段と、前記消去信号を受信する消去信号受信手段と、前記消去信号に含まれるテーブル番号を取得する消去番号取得手段と、前記テーブル番号の登録を消去する登録消去手段と、を備えたものであることを要旨とする。
【００１４】
このような請求項１に記載の構成によれば、送信機能を備えた複数の呼出機からの呼出信号を受信すると、当該呼出信号に含まれるテーブル番号が取得され、新規登録されると共に、当該テーブル番号に対応する音声メッセージが検索されて、音声出力される。
【００１５】
これにより、呼び出しがあったテーブルのテーブル番号を一旦登録すると共に、当該テーブル番号に対応する音声メッセージでもって確実に伝達することができる。
【００１６】
このような請求項１に記載の構成によれば、登録されたテーブル番号が存在する限りは、周期的に、当該テーブル番号に対応する音声メッセージが音声出力される。
【００１７】
これにより、応接が未完了であるテーブルのテーブル番号については、登録消去が行われるまで、繰り返し、音声出力されるので、呼び出しが気付かれずに放置されるような事態が防止され、呼び出しを確実に伝達することができる。
【００１８】
このような請求項１に記載の構成によれば、消去すべきテーブル番号を選択入力する消去番号送信手段からの消去信号が受信されると、当該消去信号に含まれる消去すべきテーブル番号が取得され、当該テーブル番号の登録が消去される。
これにより、例えば、店員による応接が完了した来客のテーブル番号については、その登録を確実に消去することができるので、繰り返し、音声出力されることがない。
【００１９】
そしてまた、請求項２に記載の店員呼出システムは、前記の、呼出信号受信手段、テーブル番号取得手段、テーブル番号登録手段、音声メッセージ出力手段、テーブル番号反復伝達手段、消去信号受信手段、消去番号取得手段、及び登録消去手段を、１つ以上の携帯型の受信装置の各々に備えることを要旨とする。
【００２０】
このような請求項２に記載の構成によれば、１つ以上の受信装置の各々には受信機能の他、受信信号に含まれる情報の処理機能（例えば、呼出信号に含まれるテーブル番号に対応する音声メッセージの取得・出力機能、登録されているテーブル番号に対応する音声メッセージの周期的な取得・出力機能、消去信号に含まれるテーブル番号の登録消去機能）も、少なくとも１つの携帯型の受信装置に纏めて備えることができる。
【００２１】
これにより、このような受信機を、店内の店員の各々に携帯させれば、店内の店員配置とは関係無く、いつでも、又、店内がどのような状態であっても、呼び出されたテーブル番号に対応する音声メッセージを店員に確実に伝達することができる。
【００２２】
そしてまた、請求項３に記載の店員呼出システムは、前記テーブル番号に対応する音声メッセージは、当該テーブル番号が優先される呼び出し元を示すものである場合に、当該呼び出し元の名称を含めることを要旨とする。
【００２３】
このような請求項３に記載の構成によれば、優先される呼び出し元からのテーブル番号に対応する音声メッセージには、予め当該呼び出し元の名称を含めておくことができる。
【００２４】
これにより、当該呼び出し元の名称を含めた音声メッセージを介して、店員は、優先される呼び出し元であることを確実に知ることができる。
【００２５】
そしてまた、請求項４に記載の店員呼出システムは、前記優先される呼び出し元の名称が厨房であることを要旨とする。
【００２６】
このような請求項４に記載の構成によれば、優先される呼び出し元からのテーブル番号に対応する音声メッセージには、予め当該呼び出し元である「厨房」なる音声メッセージを含めておくことが可能であり、例えば、全体の音声メッセージとして、「厨房、厨房、厨房」と３回連呼するような音声メッセージを対応させることが可能である。
これにより、「厨房、厨房、厨房」と３回連呼する当該音声メッセージを介して、店員は、出来上がった料理の配膳を待っている厨房からの呼び出しであることを確実に知ることができるので、完成直後の美味しい料理を来客に給仕することができる。
【００２７】
そしてまた、請求項５に記載の店員呼出システムは、前記音声メッセージが、骨伝導型のヘッドホン装置により出力されるものであることを要旨とする。
【００２８】
このような請求項５に記載の構成によれば、音声メッセージは、外部環境には関係無く、ヘッドホン装置を装着する店員に伝達できる。
これにより、店員は、店内の騒音が酷い場合であっても、確実に音声メッセージの内容を聞きとり、呼び出しに応ずることができる。
【００２９】
そしてまた、請求項６に記載の店員呼出システムは、来客者が接客店員を呼び出す際に操作される、送信機能を備えた複数の呼出機からの呼出信号を受信して、当該呼出機に対応するテーブル番号を音声出力する店員呼出システムにおいて、前記テーブル番号を含む呼出信号を無線で送信する前記複数の呼出機と、前記呼出信号を受信する呼出信号受信手段と、前記呼出信号に含まれるテーブル番号を取得するテーブル番号取得手段と、前記取得されたテーブル番号を登録するテーブル番号登録手段と、前記テーブル番号に対応する音声メッセージを検索して無線放送する音声メッセージ放送手段と、前記無線放送の後、前記登録されたテーブル番号に対応する音声メッセージを所定の周期で無線放送するテーブル番号反復放送手段と、前記無線放送の各々を受信して音声出力する放送受信手段と、選択されたテーブル番号を含むテーブル番号の消去信号を無線で送信する消去番号送信手段と、前記消去信号を受信する消去信号受信手段と、前記消去信号に含まれるテーブル番号を取得する消去番号取得手段と、前記テーブル番号の登録を消去する登録消去手段と、を備えたことを要旨とする。
【００３０】
このような請求項６に記載の構成によれば、送信機能を備えた複数の呼出機からの呼出信号を受信すると、当該呼出信号に含まれるテーブル番号が取得され、新規登録されると共に、当該テーブル番号に対応する音声メッセージが検索されて、無線放送される。
【００３１】
これにより、呼び出しがあったテーブルのテーブル番号を一旦登録すると共に、当該テーブル番号に対応する音声信号として放送し、確実に伝達することができる。
【００３２】
このような請求項６に記載の構成によれば、登録されたテーブル番号が存在する限りは、周期的に、当該テーブル番号に対応する音声メッセージが無線放送される。
【００３３】
これにより、応接が未完了であるテーブルのテーブル番号については、登録消去が行われるまで、繰り返し、無線放送されるので、呼び出しが気付かれずに放置されるような事態が防止され、呼び出しを確実に伝達することができる。
【００３４】
このような請求項６に記載の構成によれば、消去すべきテーブル番号を選択入力する消去番号送信手段からの消去信号が受信されると、当該消去信号に含まれる消去すべきテーブル番号が取得され、当該テーブル番号の登録が消去される。
【００３５】
これにより、例えば、店員による応接が完了した来客のテーブル番号については、その登録を確実に消去することができるので、繰り返し、無線放送されることがない。
【００３６】
そしてまた、請求項７に記載の店員呼出システムは、前記の、呼出信号受信手段、テーブル番号取得手段、テーブル番号登録手段、音声メッセージ放送手段、テーブル番号反復放送手段、消去信号受信手段、消去番号取得手段、及び登録消去手段を、少なくとも１つの据置型の采配装置に備えると共に、前記放送受信手段を１つ以上の携帯型の放送受信機に備えることを要旨とする。
【００３７】
このような請求項７に記載の構成によれば、少なくとも１つの据置型の采配装置には、受信機能の他、受信信号に含まれる情報の処理機能（例えば、呼出信号に含まれるテーブル番号に対応する音声メッセージの取得・放送機能、登録されているテーブル番号に対応する音声メッセージの周期的な取得・放送機能、消去信号に含まれるテーブル番号の登録消去機能）も纏めて備えることができると共に、放送受信機には、前記放送の受信手段だけを備えることができる。
【００３８】
これにより、このような放送受信機を、店内の店員の各々に携帯させれば、店内の店員配置とは関係無く、いつでも、又、店内がどのような状態であっても、呼び出されたテーブル番号に対応する音声メッセージを店員に確実に伝達することができることになり、また、この放送受信機には情報処理機能は含まれず、単に放送波を受信するトランシーバ機能だけを備えればよいことになるので、設備コストを大幅に引き下げることができる。
【００３９】
そしてまた、請求項８に記載の店員呼出システムは、前記テーブル番号に対応する音声メッセージが、当該テーブル番号が優先される呼び出し元を示すものである場合に、当該呼び出し元の名称を含めることを要旨とする。
【００４０】
そしてまた、請求項９に記載の店員呼出システムは、前記優先される呼び出し元の名称は厨房であることを要旨とする。
【００４１】
そしてまた、請求項１０に記載の店員呼出システムは、前記音声メッセージが、骨伝導型のヘッドホン装置により出力されるものであることを要旨とする。
【発明の効果】
【００４２】
本発明の店員呼出システムにあっては、以上説明したように構成したことにより、呼び出しがあったテーブルのテーブル番号を一旦登録すると共に、対応する音声メッセージでもって呼び出しを確実に伝達することができる。
【００４３】
また、応接が未完了であるテーブルのテーブル番号については、登録消去が行われるまで、繰り返し、音声出力するので、呼び出しが気付かれずに放置されるようなことが防止され、確実に伝達することができる。
もっとも、繰り返しの連呼が好まれない場合は、２度程度の音声出力が採用される。
【００４４】
さらに、店員による応接が完了した来客のテーブル番号については、その登録を確実に消去することができるので、繰り返し、音声出力されることは防げる。
【００４５】
また、呼出信号等の受信機を、店内の店員の各々に携帯させることが可能であるので、店内の店員配置とは関係無く、いつでも、又、店内がどのような状態であっても、呼び出されたテーブル番号に対応する音声メッセージを店員に確実に伝達することができる。
【００４６】
また、優先的な呼び出し元が存在する場合は、当該呼び出し元の名称を含めた音声メッセージを出力することができるので、店員は、当該音声メッセージを介して優先される呼び出し元であることを確実に知ることができる。
例えば、優先的な呼び出し元が厨房である場合には、当該音声メッセージを、「厨房、厨房、厨房」と、３回連呼するようなものとすることができる。
【００４７】
さらに、音声メッセージを、骨伝導型のヘッドホン装置により出力させることができるので、店員は、店内の騒音が酷い場合であっても、確実に音声メッセージの内容を聞きとり、呼び出しに応ずることができる。
【００４８】
また、店員が携帯する受信機には放送波を受信する機能だけを備えさせ、テーブル番号の登録や、テーブル番号に対応する音声メッセージの検索等に必要な情報処理機能については据置型の采配装置を備えて処理させる構成とすることも可能であるので、複数の店員の各々に携帯させる装備（より具体的には受信機）のコストダウンが可能となり、全体として設備コストの大幅な引き下げが可能となる。
【発明を実施するための最良の形態】
【００４９】
以下、本発明の店員呼出システムの最良の実施形態について、〔第１の実施形態〕、〔第２の実施形態〕の順に図面を参照して詳細に説明する。
〔第１の実施形態〕
本実施形態に係る店員呼出システムは、店員の各々に、テーブル等に配置された呼出機の呼出釦からの呼出信号、若しくは消去機の消去釦からの消去信号を受信して各々情報処理する携帯型受信機を持たせることを要旨とする。
【００５０】
図１は、本発明の第１の実施形態に係る店員呼出システムの全体的なシステム構成を示す構成図である。
同図において、本実施形態の店員呼出システム１０は、店内のテーブル単位に配置される呼出機２（２ａ，２ｂ，…，２ｎ）と、店員の各々に携帯させる受信機３（３ａ，３ｂ，…，３ｍ）と、店員が応接済のテーブルのテーブル番号を消去するための番号消去機４と、呼出釦からの呼出信号を中継する中継機５と、厨房等からの優先呼出に使用される優先呼出機６と、を備える。
【００５１】
ここで、呼出機２（２ａ，２ｂ，…，２ｎ）は、アンテナ部２１（２１ａ，２１ｂ，…，２１ｎ）と、呼出器２２（２２ａ，２２ｂ，…，２２ｎ）と、を備える。
また、受信機３（３ａ，３ｂ，…，３ｍ）は、アンテナ部３１（３１ａ，３１ｂ，…，３１ｎ）と、受信器３２（３２ａ，３２ｂ，…，３２ｍ）と、を備える。
【００５２】
さらに、番号消去機４はアンテナ部４１と、番号消去器４２と、を備え、中継機５は、アンテナ部５１と、中継器５２と、を備え、優先呼出機６は、アンテナ部６１と、優先呼出器６２と、を備えて構成される。
【００５３】
中継機５は、オプショナルな構成要素であり、小規模店舗等の場合には省略が可能である。
また、優先呼出器６も、必須の構成要素ではない。
【００５４】
以下、本実施形態の店員呼出システム１０の機能について説明する。
来客がテーブルに着席し、注文する時には、テーブル上に置かれた呼出機２の呼出釦を押下する。
これにより、この呼出機２の呼出器２２からは、アンテナ部２１を介してテーブル番号を含む呼出信号が発信される。
【００５５】
この呼出信号は、店員の各々が携帯する受信機３で受信される（呼出信号受信手段）。
受信機３では、受信器３２が、この呼出信号に含まれるテーブル番号を取得し（テーブル番号取得手段）、かつ登録する（テーブル番号登録手段）と共に、当該テーブル番号に対応する音声信号メッセージを検索し、ヘッドホン装置等のレシーバに出力する（音声メッセージ出力手段）。
【００５６】
このレシーバ出力を聞き取った店員は、メッセージに含まれたテーブル番号のテーブルに歩いて行って、このテーブルの来客と応接し、この来客の注文等を受け付ける。
この注文受付方法については、本発明の要部ではなく、例えば、その場で注文伝票に記入したり、或いは携帯端末装置に入力したりするなどの従来方法であっても構わない。
【００５７】
この応接が完了すると、当該店員は、番号消去機４を操作して当該テーブル番号を入力する。
これにより、番号消去機４からは、当該テーブル番号を含む消去信号が発信され（消去番号送信手段）、この消去信号は、受信機３で受信され（消去信号受信手段）、受信器３２が、この消去信号に含まれるテーブル番号の登録を消去する（登録消去手段）。
【００５８】
なお、呼出機２には、後述するように、ブザーとＬＥＤ表示器が設置されており、呼出機２の近くの店員が、このブザーのブザー音やＬＥＤ表示器のＬＥＤ表示を直接的に確認して来客と応接できるようにしている（図２，３参照）。
【００５９】
さらに、受信機３は、テーブル番号の登録後は、何らかの信号を受信したか否かとは無関係に、所定の一定周期で、登録されているテーブル番号を順に取得し、当該テーブル番号に対応する音声信号メッセージを検索し、前述のヘッドホン装置等のレシーバに出力する（テーブル番号反復伝達手段）。
【００６０】
また、優先呼出機６にも、同様のテーブル番号が割り付けられており、その構成・機能は、前述の呼出機２の構成・機能と同じとする。
【００６１】
なお、前述した呼出信号受信手段、テーブル番号取得手段、テーブル番号登録手段、音声メッセージ出力手段、テーブル番号反復伝達手段、消去信号受信手段、消去番号取得手段、及び登録消去手段を、１つ以上の携帯型の受信装置の各々に備えることも当然可能である。
【００６２】
図２は、呼出機２の電気的な構成を示す構成図である。
同図に示に示すように、呼出機２は前述のアンテナ部２１を備える。
また、呼出機２の呼出器２２（図１）は、テーブル番号を含む呼出信号を送信する送信回路２３と、呼出釦（押し釦、図３参照）が押下された時に、予め設定され記憶されているテーブル番号を符号化し、送信回路２３と、後述する駆動回路とに送出する番号記憶部符号化回路２４と、呼出釦が押下された時に、ブザー２６を駆動すると共に送信回路２３から送出されたテーブル番号をＬＥＤ（表示器）２７に表示する駆動回路２５と、を備える。
【００６３】
番号記憶部符号化回路２４は、制御回路であり、ＣＰＵ，ＲＯＭ，ＲＡＭ等の回路要素で構成することができる。
来客が、テーブルに着席し、テーブル上に置かれた呼出機２の呼出釦を押下すると、番号記憶部符号化回路２４が、予め設定され記憶されているテーブル番号を符号化して成る送信信号を、送信回路２３に送出し、同時に、番号記憶部符号化回路２４は、当該テーブル番号を表示させる映像信号を駆動回路２５に送出する。
送信回路２３は、この送信信号を変調してアンテナ２１から電磁波として出力する。
なお、この変調に適用される変調方式及び周波数帯域は、無線のデータ通信に使用される変調方式及び周波数帯域として民間用に許可されているものでありさえすれば、何であっても良く、この範囲で、任意の変調方式及び周波数帯域を適用することが可能である。
呼出機２（２ａ，２ｂ，…，２ｎ）の各々の周波数帯域は重複しないように設定されていることが好ましい。
【００６４】
また、前述の呼出機２の呼出釦押下により、駆動回路２５は呼び出し用のブザー音に対応する交番信号をブザー２６に送出し、これにより、ブザー２６から呼出音が出力される。
同時に、駆動回路２５は番号記憶部符号化回路２４から受け取った映像信号を直接（又は増幅して）ＬＥＤ２７に送出し、ＬＥＤ２７は、この映像信号をテーブル番号として表示する。
【００６５】
なお、優先呼出機６の構成については呼出機２の構成と同じであってもよいので、図示は省略する。
図３は、呼出機２の外観を示す正面図である。
同図において、番号表示窓２０１はテーブル番号を表示する表示窓、呼出釦２０２は店員を呼び出す際に押下される釦（押釦）、ブザー音出力口２０３は呼出のブザー音を出力するための開口部を、それぞれ示す。
【００６６】
図４は、受信機３の電気的な構成を示す構成図である。
同図に示に示すように、受信機３は、前述のアンテナ部３１を備える。
また、受信機３の受信器３２（図１）は、テーブル番号を含む呼出信号を受信する受信回路３３と、呼出信号に含まれるテーブル番号と対応する呼出メッセージ等の処理を行う番号記憶部復号選択回路３４と、呼出メッセージを音声信号に変換する音声回路３５と、呼出メッセージを音声メッセージとして出力するヘッドホン３６と、を備える。
【００６７】
アンテナ部３１及び受信回路３３は、呼出機２（２ａ，２ｂ，…，２ｎ）及び優先呼出機６並びに番号消去機４が発信する電波の各周波数を全て同時に受信できる多チャンネル型とすることが好ましい。
番号記憶部復号選択回路３４は、制御回路であり、ＣＰＵ，ＲＯＭ，ＲＡＭ等の回路要素で構成することができる。
ヘッドホン３６は、骨伝導を利用して伝達特性を向上させたものが好ましい。
【００６８】
以下、まず、受信機３の呼出信号処理時の動作について説明する。
呼出機２（図１）又は優先呼出機６（図１）から発信された呼び出しの電波は、アンテナ部３１で電気信号に変換され、受信回路３３で受信され、呼出信号に変換されて番号記憶部復号選択回路３４に入力される。
番号記憶部復号選択回路３４は、この呼出信号を復号し、呼出信号の場合はテーブル番号を取得して、新規登録すると共に、当該テーブル番号と対応する所定の呼出メッセージを検索する。
この所定の呼出メッセージは、テーブル番号と対応付けられて予め記憶されているものである。
その後、この検索した呼出メッセージは、音声回路３５に送出する。
音声回路３５は、音声合成回路を備えて、当該呼出メッセージを音声データに変換し、ヘッドホン３６に送出する。
ヘッドホン３６は、当該音声データを音声メッセージとして出力する。
【００６９】
なお、この呼出メッセージは、テーブル番号ｉ番に対応するメッセージの場合は、例えば、「テーブルｉ番、ｉ番」と、２回繰り返すようなものであってもよい。
また、優先呼出機６から発信された呼出信号（前述のとおり、やはりテーブル番号を含む）の場合は、例えば、「厨房、厨房、厨房」と３回繰り返すようなものであってもよい。
【００７０】
ヘッドホン３６として、骨伝導型のものを使用すると、店内が喧騒の場合でも、確実に音声メッセージを伝達することができる。
【００７１】
次に、受信機３の消去信号処理時の動作について説明する。
番号消去機４（図１）から発信された消去信号の電波は、アンテナ部３１で電気信号に変換され、受信回路３３で受信され、消去信号に変換されて番号記憶部復号選択回路３４に入力される。
番号記憶部復号選択回路３４は、この呼出信号を復号し、テーブル番号を取得して、当該テーブル番号の登録を消去する。
【００７２】
さらに、受信機３の音声メッセージ再出力処理時の動作について説明する。
受信機３は、電波を受信している時、或いは受信していない時の区別無く、テーブル番号の登録が有りさえすれば、所定の一定周期で、当該登録されたテーブル番号に対応する音声メッセージをヘッドホン３６から出力するように構成されている。
なお、登録されたテーブル番号に対応する音声メッセージを再出力すべき前記一定周期の時点（タイミング）は、番号記憶部復号選択回路３４に、タイマー使用の割り込み回路（図示は省略）を別途設けて検知させることができる。
このようなテーブル番号の登録機能と再放送機能により、最初にメッセージとして通知されたにも関わらず、何らかの事情により、店員の応接が未完了となっているテーブルのテーブル番号を登録すると共に、その後も、これらのテーブル番号を、音声メッセージとして確実に店員に知らせることを可能にしている。
【００７３】
図５は、番号消去機４の電気的な構成を示す構成図である。
同図に示に示すように、番号消去機４は前述のアンテナ部４１を備える。
また、番号消去機４の番号消去器４２（図１）は、消去すべきテーブル番号を含む消去信号を送信する送信回路４３と、消去すべきテーブル番号を符号化し、送信回路４３に送出する符号化回路４４と、消去すべきテーブル番号に対応する消去釦４６（４６ａ，４６ｂ，…，４６ｎ）（押し釦）と、消去釦４６から送出される押下信号を増幅する増幅回路４５と、を備える。
【００７４】
消去釦４６（４６ａ，４６ｂ，…，４６ｎ）のいずれか１つが押下され、この消去釦に対応するテーブル番号が、後述する増幅回路４５から入力された時に、符号化回路４４は、当該テーブル番号を符号化し、送信回路４３に送出する。
送信回路４３は、この送信信号を変調してアンテナ４１から電磁波として出力する。
なお、この変調に適用される変調方式及び周波数帯域は、無線のデータ通信に使用される変調方式及び周波数帯域として民間用に許可されているものであり、かつ呼出機２の各々と周波数帯域が重複しないものでありさえすれば何であっても良く、この範囲で、任意の変調方式及び周波数帯域を適用することが可能である。
図６は、本発明の第１の実施形態に係る店員呼出システムの受信機３の処理動作を示すフローチャート図であり、図６（ａ）はメインルーチン、図６（ｂ）はサブルーチンを示す。
【００７５】
以下、図１〜５を参照しながら、図６に示すフローチャート図を使用して、本実施形態に係る店員呼出システムの受信機３の処理動作を説明する。
なお、図６では、各ステップの記号のみを付して説明する。
【００７６】
まず、図６（ａ）のメインルーチンを説明する。
（ステップＳ１）
ステップＳ１では、何らかの信号を受信したか否か（即ち、受信信号が存在するか否か）を検証し、何らかの信号を受信している場合はステップＳ２に進み、何の信号も受信していない場合はステップＳ８に移る。
【００７７】
（ステップＳ２）
ステップＳ２では、当該受信信号からテーブル番号を取得し、ステップＳ３に進む。
【００７８】
（ステップＳ３）
ステップＳ３では、受信したのは呼出信号であったか否かを検証し、呼出信号を受信した場合はステップＳ４に進み、呼出信号を受信していない場合はステップＳ６に移る。
【００７９】
（ステップＳ４）
ステップＳ４では、取得したテーブル番号を登録し、ステップＳ５に進む。
なお、この登録は、予め確保されているテーブル番号登録用のスタック領域に当該テーブル番号を追加格納することで行われる。
【００８０】
（ステップＳ５）
ステップＳ５では、テーブル番号に対応する音声メッセージを出力するために、サブルーチン：「番号出力」を呼んで、テーブル番号に対応する音声メッセージを出力させ、その後、ステップＳ１に戻る。
なお、このサブルーチン：「番号出力」には、当該テーブル番号がパラメタとして引き渡される。
【００８１】
（ステップＳ６）
ステップＳ６では、受信したのは消去信号であったか否かを検証し、消去信号を受信した場合はステップＳ７に進み、消去信号を受信していない場合はステップＳ８に移る。
【００８２】
（ステップＳ７）
ステップＳ７では、当該テーブル番号の登録を消去し、その後、ステップＳ１に戻る。
なお、この消去は、予め確保されているテーブル番号登録用のスタック領域から、既に格納されている当該テーブル番号を削除することで行われる。
【００８３】
（ステップＳ８）
ステップＳ８では、登録されているテーブル番号に対応する音声メッセージを再出力すべき時点に達しているか否かを検証し、前記音声メッセージを再出力すべき時点に達している場合はステップＳ９に進み、前記音声メッセージを再出力すべき時点に達していない場合はステップＳ１に戻る。
なお、この音声メッセージを再出力すべき時点は、例えば、番号記憶部復号選択回路３４に別途設けられた、タイマー使用の割り込み回路（図示は省略）により検知することができる。
【００８４】
（ステップＳ９）
ステップＳ９では、テーブル番号の登録が有るか否か、即ち、前述のテーブル番号登録用のスタック領域にテーブル番号が格納されているか否かを検証し、前記スタック領域にテーブル番号が格納されている場合はステップＳ１０に進み、前記スタック領域にテーブル番号が格納されていない場合はステップＳ１に戻る。
【００８５】
（ステップＳ１０）
ステップＳ１０では、前記スタック領域に格納されているテーブル番号の１つを取得し、ステップＳ１１に進む。
【００８６】
（ステップＳ１１）
ステップＳ１１では、当該取得したテーブル番号に対応する音声メッセージを出力するために、サブルーチン：「番号出力」を呼んで、テーブル番号に対応する音声メッセージを出力させ、その後、ステップＳ１２に進む。
なお、このサブルーチン：「番号出力」には、当該テーブル番号がパラメタとして引き渡される。
【００８７】
（ステップＳ１２）
ステップＳ１２では、前記スタック領域に格納されているテーブル番号の全てについて、音声メッセージの再出力が完了したか否かを検証し、全てのテーブル番号の音声メッセージ再出力が完了している場合はステップＳ１に戻り、音声メッセージの再出力が未完了のテーブル番号が残っている場合はステップＳ１０に戻る。
【００８８】
次に、図６（ｂ）のサブルーチンを説明する。
（ステップＳ１５）
ステップＳ１５では、メインルーチンから引き渡されたテーブル番号に対応する呼出メッセージを検索し、ステップＳ１６に進む。
【００８９】
（ステップＳ１６）
ステップＳ１６では、検索した呼出メッセージを音声回路３５に送出して音声信号に変換させた後、ヘッドホン３６を介して音声メッセージとして出力させ、その後、メインルーチン（図６（ａ））の呼び出し元に戻る。
【００９０】
〔第２の実施形態〕
本実施形態に係る店員呼出システムは、テーブル等に配置された呼出機の呼出釦からの呼出信号、若しくは消去機の消去釦からの消去信号を受信して情報処理し、前記情報処理の結果として得られる情報を放送波に変換して送信する据え置き型の呼出采配機を設置すると共に、店員の各々には、この呼出采配機からの前記放送波を受信する携帯型受信機を持たせることを要旨とする。
【００９１】
図７は、本発明の第１の実施形態に係る店員呼出システムの全体的なシステム構成を示す構成図である。
なお、第１の実施形態に係る構成要素と同じものについては同じ符号を配し、説明を省略する。
【００９２】
同図において、本実施形態の店員呼出システム２０は、店内のテーブル単位に配置される呼出機２（２ａ，２ｂ，…，２ｎ）と、店員の各々に携帯させる受信機７（７ａ，７ｂ，…，７ｍ）と、店員が応接済のテーブルのテーブル番号を消去するための番号消去機４（消去番号送信手段）と、厨房等からの優先呼出に使用される優先呼出機６と、受信信号に含まれる情報を処理した結果を受信機７に対して放送波として発信する呼出采配機８と、を備える。
ここで、受信機７（７ａ，７ｂ，…，７ｍ）は、放送波を受信するアンテナ部７１（７１ａ，７１ｂ，…，７１ｎ）と、受信器７２（７２ａ，７２ｂ，…，７２ｍ）と、を備える。
さらに、呼出采配機８は、送受信兼用のアンテナ部８１と、呼出采配器８２と、を備える。
【００９３】
図８は、受信機７の電気的な構成を示す構成図である。
同図において、アンテナ部７１及び受信回路７３（放送受信手段）は、トランシーバ装置等として民間用に許可されている周波数帯専用のアンテナ及び受信機である。
増幅器７４は、ヘットホン３６とインピーダンスマッチングさせた増幅器である。
【００９４】
図９は、呼出采配機８の電気的な構成を示す構成図である。
同図に示に示すように、呼出采配機８は、前述のアンテナ部８１（送受信兼用）を備える。
また、呼出采配機８の呼出采配器８２（図７）は、テーブル番号を含む呼出信号を受信する受信回路８３と、当該呼出信号を交信制御回路８４を介して入力し、当該呼出信号に含まれるテーブル番号に対応する呼出メッセージ等の処理を行う番号記憶部復号選択回路８５と、呼出メッセージを音声信号に変換する音声回路８６と、音声信号を放送波に変換して送信する送信回路８７と、を備える。
【００９５】
アンテナ部８１及び受信回路８３は、呼出機２（２ａ，２ｂ，…，２ｎ）及び優先呼出機６並びに番号消去機４が発信する電波の各周波数を全て同時に受信できる多チャンネル型とすることが好ましい。
番号記憶部復号選択回路８４は、制御回路であり、ＣＰＵ，ＲＯＭ，ＲＡＭ等の回路要素で構成することができる。
【００９６】
以下、まず、呼出采配機８の呼出信号処理時の動作について説明する。
呼出機２（図７）又は優先呼出機６（図７）から発信された呼び出しの電波は、アンテナ部８１で電気信号に変換され、受信回路８３で受信され（呼出信号受信手段）、呼出信号に変換されて交信制御回路８４を介して番号記憶部復号選択回路８５に入力される。
番号記憶部復号選択回路８５は、この呼出信号を復号し、テーブル番号を取得して（テーブル番号取得手段）、新規登録する（テーブル番号登録手段）と共に、当該テーブル番号と対応する所定の呼出メッセージを検索する。
この所定の呼出メッセージは、テーブル番号と対応付けられて予め記憶されているものである。
その後、この検索した呼出メッセージは、音声回路８６に送出する。
音声回路８６は、当該呼出メッセージを音声データに変換して送信回路８７に送出する。
送信回路８７は、この音声データを放送波に変換して受信機７（７ａ，７ｂ，…，７ｍ）に送信する（音声メッセージ放送手段）。
【００９７】
なお、この呼出メッセージは、テーブル番号ｉ番に対応するメッセージの場合は、例えば、「テーブルｉ番、ｉ番」と、テーブル番号を２回連呼するようなものであってもよい。
また、優先呼出機６から発信された呼出信号（前述のとおり、やはりテーブル番号を含む）の場合は例えば、「厨房、厨房、厨房」と３回連呼するようなものであってもよい。
【００９８】
次に、呼出采配機８の消去信号処理時の動作について説明する。
番号消去機４（図７）から発信された消去信号の電波は、アンテナ部８１で電気信号に変換され、受信回路８３で受信され、消去信号に変換されて交信制御回路８４を介して番号記憶部復号選択回路８５に入力される。
番号記憶部復号選択回路８５は、この呼出信号を復号し、テーブル番号を取得して、当該テーブル番号の登録を消去する（登録消去手段）。
【００９９】
さらに、呼出采配機８の再放送処理時の動作について説明する。
呼出采配機８は、電波を受信している時、或いは受信していない時の区別無く、テーブル番号の登録が有りさえすれば、所定の一定周期で、当該登録されたテーブル番号に対応する音声メッセージを音声データに変換して送信回路８７に送出する。
送信回路８７は、この音声データを放送波に変換して受信機７（７ａ，７ｂ，…，７ｍ）に送信する（テーブル番号反復放送手段）。
なお、登録されたテーブル番号に対応する音声メッセージを再出力すべき前記一定周期の時点（タイミング）は、番号記憶部復号選択回路８５に、タイマー使用の割り込み回路（図示は省略）を別途設けて検知させることができる。
【０１００】
なお、呼出采配機８は、前述の第１の実施の形態に示した中継機５の機能を兼ね備えることができる。
即ち、厨房等からの優先呼出に使用される優先呼出機６と、呼出機２又は番号消去機４からの発信電波を処理した結果を増幅して放送出力することができる。
【０１０１】
このようなテーブル番号の登録機能と再放送機能により、最初にメッセージとして通知されたにも関わらず、何らかの事情により、店員の応接が未完了となっているテーブルのテーブル番号を登録すると共に、その後も、これらのテーブル番号を、音声メッセージとして確実に店員に知らせることを可能にしている。
図１０は、本発明の第２の実施形態に係る店員呼出システムの呼出采配機８の処理動作を示すフローチャート図であり、図１０（ａ）はメインルーチン、図１０（ｂ）はサブルーチンを示す。
【０１０２】
以下、図７〜９を参照しながら、図１０に示すフローチャート図を使用して、本実施形態に係る店員呼出システムの呼出采配機８の処理動作を説明する。
なお、図１０では、各ステップの記号のみを付して説明する。
【０１０３】
まず、図１０（ａ）のメインルーチンを説明する。
（ステップＳ２１）
ステップＳ２１では、何らかの信号を受信したか否か（即ち、受信信号が存在するか否か）を検証し、何らかの信号を受信している場合はステップＳ２２に進み、何の信号も受信していない場合はステップＳ２８に移る。
【０１０４】
（ステップＳ２２）
ステップＳ２２では、当該受信信号からテーブル番号を取得し、ステップＳ２３に進む。
【０１０５】
（ステップＳ２３）
ステップＳ２３では、受信したのは呼出信号であったか否かを検証し、呼出信号を受信した場合はステップＳ２４に進み、呼出信号を受信していない場合はステップＳ２６に移る。
【０１０６】
（ステップＳ２４）
ステップＳ２４では、取得したテーブル番号を登録し、ステップＳ２５に進む。
なお、この登録は、予め確保されているテーブル番号登録用のスタック領域に当該テーブル番号を追加格納することで行われる。
【０１０７】
（ステップＳ２５）
ステップＳ２５では、テーブル番号に対応する音声メッセージを放送するために、サブルーチン：「番号送信」を呼んで、テーブル番号に対応する音声メッセージを放送させ、その後、ステップＳ２１に戻る。
なお、このサブルーチン：「番号送信」には、当該テーブル番号がパラメタとして引き渡される。
【０１０８】
（ステップＳ２６）
ステップＳ２６では、受信したのは消去信号であったか否かを検証し、消去信号を受信した場合はステップＳ２７に進み、消去信号を受信していない場合はステップＳ２８に移る。
【０１０９】
（ステップＳ２７）
ステップＳ２７では、当該テーブル番号の登録を消去し、その後、ステップＳ２１に戻る。
なお、この消去は、予め確保されているテーブル番号登録用のスタック領域から、既に格納されている当該テーブル番号を削除することで行われる。
【０１１０】
（ステップＳ２８）
ステップＳ２８では、登録されているテーブル番号に対応する音声メッセージを再出力すべき時点に達しているか否かを検証し、前記音声メッセージを再放送すべき時点に達している場合はステップＳ２９に進み、前記音声メッセージを再放送すべき時点に達していない場合はステップＳ２１に戻る。
なお、この音声メッセージを再放送すべき時点は、例えば、番号記憶部復号選択回路８５に別途設けられた、タイマー使用の割り込み回路（図示は省略）により検知することができる。
【０１１１】
（ステップＳ２９）
ステップＳ２９では、テーブル番号の登録が有るか否か、即ち、前述のテーブル番号登録用のスタック領域にテーブル番号が格納されているか否かを検証し、前記スタック領域にテーブル番号が格納されている場合はステップＳ３０に進み、前記スタック領域にテーブル番号が格納されていない場合はステップＳ２１に戻る。
【０１１２】
（ステップＳ３０）
ステップＳ３０では、前記スタック領域に格納されているテーブル番号の１つを取得し、ステップＳ３１に進む。
【０１１３】
（ステップＳ３１）
ステップＳ３１では、当該取得したテーブル番号に対応する音声メッセージを放送するために、サブルーチン：「番号送信」を呼んで、テーブル番号に対応する音声メッセージを放送させ、その後、ステップＳ３２に進む。
なお、このサブルーチン：「番号送信」には、当該テーブル番号がパラメタとして引き渡される。
【０１１４】
（ステップＳ３２）
ステップＳ３２では、前記スタック領域に格納されているテーブル番号の全てについて、音声メッセージの再放送が完了したか否かを検証し、全てのテーブル番号の音声メッセージ再放送が完了している場合はステップＳ２１に戻り、音声メッセージの再放送が未完了のテーブル番号が残っている場合はステップＳ３０に戻る。
【０１１５】
次に、図１０（ｂ）のサブルーチンを説明する。
（ステップＳ３５）
ステップＳ３５では、メインルーチンから引き渡されたテーブル番号に対応する呼出メッセージを検索し、ステップＳ３６に進む。
【０１１６】
（ステップＳ３６）
ステップＳ３６では、検索した呼出メッセージを音声回路８６に送出して音声信号に変換させた後、送信回路８７及びアンテナ部８１を介して放送波に変換して放送させ、その後、メインルーチン（図１０（ａ））の呼び出し元に戻る。
【０１１７】
以上、各実施の形態に基づいて説明してきたが、本発明は、このような実施の形態に限定されるものではなく、この発明の目的に沿うものである限り、種々の変更が可能であることは云うまでもない。
【０１１８】
例えば、呼出機２には、御神籤器等の付属的な機器を付帯させることができる。また、優先呼出機６は、複数とすることも可能である。
さらに、ヘッドホン３６の代わりにイヤホンを用いることも可能である。
【０１１９】
なお、本発明に係る店員呼出システムの各構成要素の処理の少なくとも一部をコンピュータ制御により実行するものとし、かつ、上記処理を、図６，１０のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。
そして、少なくともマイクロコンピュータ，パーソナルコンピュータ，汎用コンピュータを範疇に含むコンピュータが、上記の記録媒体から上記プログラムを読み出して、実行するものとしてもよい。
【産業上の利用可能性】
【０１２０】
本発明は店舗等において来客者が店員を呼び出す際に使用される店員呼出システムに関するものであるが、その呼び出しシステムの原理を利用する限り店舗以外の場所においても適用可能である。
【図面の簡単な説明】
【０１２１】
【図１】図１は、本発明の第１の実施形態に係る店員呼出システムの全体的なシステム構成を示す構成図である。
【図２】図２は、呼出機２の電気的な構成を示す構成図である。
【図３】図３は、呼出機２の外観を示す正面図である。
【図４】図４は、受信機３の電気的な構成を示す構成図である。
【図５】図５は、番号消去機４の電気的な構成を示す構成図である。
【図６】図６は、本発明の第１の実施形態に係る店員呼出システムの受信機３の処理動作を示すフローチャート図であり、図６（ａ）はメインルーチン、図６（ｂ）はサブルーチンを示す。
【図７】図７は、本発明の第１の実施形態に係る店員呼出システムの全体的なシステム構成を示す構成図である。
【図８】図８は、受信機７の電気的な構成を示す構成図である。
【図９】図９は、呼出采配機８の電気的な構成を示す構成図である。
【図１０】図１０は、本発明の第２の実施形態に係る店員呼出システムの呼出采配機８の処理動作を示すフローチャート図であり、図１０（ａ）はメインルーチン、図１０（ｂ）はサブルーチンを示す。
【符号の説明】
【０１２２】
１０…店員呼出システム（第１の実施の形態）
２０…店員呼出システム（第２の実施の形態）
２…呼出機
３…受信機（第１の実施の形態）
４…番号消去機
５…中継機
６…優先呼出機
７…受信機（第２の実施の形態）
８…呼出采配機
２３，４３，８７…送信回路
２４…番号記憶部符号化回路
２５…駆動回路
２６…ブザー
２７…ＬＥＤ（表示器）
３３，７３，８３…受信回路
３４，８５…番号記憶部復号選択回路
３５…音声回路
３６…ヘッドホン（骨伝導型）
４４…符号化回路
４６…消去番号入力部
８４…交信制御回路
【図１】
2009054004.tif 000003
【図２】
2009054004.tif 000004
【図３】
2009054004.tif 000005
【図４】
2009054004.tif 000006
【図５】
2009054004.tif 000007
【図６】
2009054004.tif 000008
【図７】
2009054004.tif 000009
【図８】
2009054004.tif 000010
【図９】
2009054004.tif 000011
【図１０】
2009054004.tif 000012